(57)【要約】【課題】除去する際の異物を透明部材上に落下させず、異物を一旦除去した原稿に再度異物が付着して読取位置に搬送されることのないようにした画像読取装置及び画像形成装置を提供する。【解決手段】画像読取装置２００は、第１流し読みガラス２１２を介して画像読取位置９１と対向するように配置され、原稿を画像読取位置９１と反対の側から押さえて浮き上がりを抑制する第１プラテンローラ２３７を備える。画像読取装置２００は、上記ローラ２３７の原稿搬送方向の上流側に配置された複数の搬送回転体対（２３４〜２３６）と、これらの内で上記ローラ２３７の原稿搬送方向の直上流に位置する第３搬送ローラ対２３６の、原稿の第１面側の従動ローラ２３６ｂに当接しその外周面に付着した異物を回収する回収部１０５とを備える。【選択図】図５
2016100853.tif 000002
【特許請求の範囲】
【請求項１】
シートが搬送されるシート搬送路と、
前記シート搬送路を搬送されてくるシートの第１面の画像を、透明部材を介して画像読取位置で読み取る画像読取手段と、
前記透明部材を介して前記画像読取位置の前記画像読取手段と対向するように配置され、シートが前記透明部材から浮き上がるのを抑制する抑制回転体と、
前記抑制回転体のシート搬送方向の上流側に配置された複数の搬送回転体対と、
前記複数の搬送回転体対のうちで前記抑制回転体のシート搬送方向の直上流に位置して第１回転体及び第２回転体から構成される直上流搬送回転体対の、シートの第１面側に位置する前記第２回転体に当接してその外周面に付着した異物を回収する回収手段と、を備える、
ことを特徴とする画像読取装置。
【請求項２】
搬送されてくるシートの第２面に対向可能で前記第１回転体を支持する第１搬送ガイドと、シートの第１面に対向可能でその下端部近傍から前記第２回転体を前記第１回転体側に突出させることが可能な第２搬送ガイドと、を有し、シートを前記直上流搬送回転体対に案内するシート案内手段と、
前記第２回転体を前記第１回転体に当接させる方向に付勢する付勢手段と、を備える、
ことを特徴とする請求項１に記載の画像読取装置。
【請求項３】
前記第２回転体と前記透明部材との間に配置され、前記第２回転体と前記透明部材との段差を補って案内するように傾斜するガイド手段を備える、
ことを特徴とする請求項１又は２に記載の画像読取装置。
【請求項４】
前記第２回転体は、軸方向に分割された複数のローラ部材から構成され、
前記複数のローラ部材それぞれの間には、前記第２回転体の回転軸を揺動中心として配置されて前記第２回転体と前記透明部材との段差を補って案内するように傾斜するガイド手段を備える、
ことを特徴とする請求項１又は２に記載の画像読取装置。
【請求項５】
前記第２回転体のシート搬送方向上流に配置され、シートの第１面の側に配置された従動回転体と、
前記従動回転体に当接して前記従動回転体の外周面に付着した異物を回収する別の回収手段と、を備える、
ことを特徴とする請求項４に記載の画像読取装置。
【請求項６】
前記従動回転体は、軸方向に分割された複数のローラ部材から構成され、
前記複数のローラ部材は、前記第２回転体における前記複数のローラ部材に対しシート搬送方向に直交する幅方向にずらして配置される、
ことを特徴とする請求項５に記載の画像読取装置。
【請求項７】
前記回収手段は、
前記第２回転体の前記外周面に接触する接触部材と、
前記接触部材の接触により前記外周面から剥離される異物を収容する収容部材と、を有する、
ことを特徴とする請求項１乃至６のいずれか１項に記載の画像読取装置。
【請求項８】
前記接触部材は、前記外周面に接触して前記第２回転体を摩擦帯電させると共に、前記外周面に静電吸着された異物を除去する、
ことを特徴とする請求項７に記載の画像読取装置。
【請求項９】
前記第２回転体は、前記シート搬送路を搬送されてくるシートの搬送方向に直交する幅方向の全域に対向可能なローラである、
ことを特徴とする請求項１乃至８のいずれか１項に記載の画像読取装置。
【請求項１０】
請求項１乃至９のいずれか１項に記載の画像読取装置と、
前記画像読取装置によってシートから読み取られた画像情報に基づいてシートに画像を形成する画像形成手段と、を備える、
ことを特徴とする画像形成装置。
【発明の詳細な説明】
【技術分野】
【０００１】
本発明は、原稿の画像情報を読み取る画像読取装置及びこれを備える画像形成装置に関する。
【背景技術】
【０００２】
一般に、複写機やファクシミリ等の画像形成装置では、原稿送り装置等のシート給送装置が、ピックアップローラにより積載トレイから分離部に原稿等のシートを送り込み、分離部でシートを捌いて１枚ずつ給送する構成を備えている。このような画像形成装置では、原稿画像を光学的に読み取る画像読取装置を有するものがある。この画像読取装置には、原稿を１枚ずつ画像読取部へと搬送する自動原稿搬送装置(以下、ＡＤＦ：Ａｕｔｏ  Ｄｏｃｕｍｅｎｔ  Ｆｅｅｄｅｒと呼ぶ)を備えたものがある。
【０００３】
ＡＤＦには、給送原稿積載部から給送搬送された原稿を、原稿の画像を読み取る原稿読取部に搬送する湾曲した搬送経路を備えたものがある。このような湾曲搬送経路を有するＡＤＦを備えた画像読取装置では、給送原稿積載部から給送された原稿が湾曲搬送経路に搬送されて原稿読取部で画像を読み取られた後に原稿排出部に排出される流し読み（シートスルー）方式の画像読取が行われる。この流し読み方式の画像読取では、原稿から発生した紙粉や装置内の粉塵等の異物が原稿読取部のプラテンガラス（透明部材）に付着することで、読取画像にスジ状の画像不良が発生するおそれがある。
【０００４】
スジ状の画像不良の原因は大きく２つに大別され、１つは紙粉や粉塵などの浮遊ゴミによって発生するものである。もう１つは、原稿に付着していたポストイットやテープなどによる糊状粘着物が、原稿搬送時にプラテンガラスに付着して発生するものである。後者は、粘着物がプラテンガラスに１度付着するとスジ状の画像不良が常に発生するが、プラテンガラスの清掃を実施すれば改善することが可能である。しかしながら、前者は、浮遊ゴミが原因であるため、プラテンガラス上に堆積した紙粉を清掃しても、搬送した原稿により新たに発生した紙粉や、搬送原稿により装置内に蓄積した紙粉が運ばれることで、スジ状の画像不良を度々発生させるおそれがある。
【０００５】
そこで、原稿から発生した紙粉による問題の対策として、以下に示す技術が提案されている。この技術では、読取ユニットによる読取位置に配置された搬送ドラム（駆動ローラ）に当接する従動コロに対して掻き取り部材を付勢することで、原稿面に付着した紙粉の除去を可能にしている（特許文献１参照）。
【先行技術文献】
【特許文献】
【０００６】
【特許文献１】特開２００２−６００８１号公報
【発明の概要】
【発明が解決しようとする課題】
【０００７】
ところで、特許文献１記載の技術では、駆動ローラである大径の搬送ドラムの外周部に小径の従動コロを当接させた状態でこの従動コロに掻き取り部材を付勢することで、従動コロ近傍の領域における紙粉や粉塵等の浮遊ゴミを除去することは可能である。この技術では、読取位置に対向するプラテンガラス上に配置されて搬送原稿を上方から押さえつけて原稿の浮き上がりを抑える搬送ドラムに対して紙粉取りの従動コロを当接させつつ、この従動コロから掻き取り部材で異物を掻き取る構成を備える。そのため、従動コロは、搬送ドラムとの間のニップ部を通過する原稿の下側（つまりプラテンガラス側）に位置することになり、従動コロから掻き取る際の異物が直接的にプラテンガラス上に落下し、上述したスジ状の画像不良を発生させるおそれがある。
【０００８】
また、紙粉取りのための従動コロは、大径の搬送ドラムの下部に位置する読取位置から、原稿搬送方向の上流側に離れた位置に配置されている。そのため、上述の従動コロ及び掻き取り部材により異物が原稿から除去されたとしても、この原稿が、紙粉取りの従動コロと読取位置との間に配置されている他の搬送ローラ等と摺動する際に、新たな紙粉等の異物が発生して原稿に付着するおそれがある。なお、特許文献１には「掻き取り部材を付勢する従動ローラは、読取位置に最も近い方が好ましい。」との記載もあるが、具体的構成に関する記載はない。
【０００９】
そこで、本発明は、除去する際の異物を透明部材上に落下させず、異物を一旦除去した原稿に再度異物が付着して読取位置に搬送されることのないように構成した画像読取装置及び画像形成装置を提供することを目的とする。
【課題を解決するための手段】
【００１０】
本発明は、画像読取装置において、シートが搬送されるシート搬送路と、前記シート搬送路を搬送されてくるシートの第１面の画像を、透明部材を介して画像読取位置で読み取る画像読取手段と、前記透明部材を介して前記画像読取位置の前記画像読取手段と対向するように配置され、シートが前記透明部材から浮き上がるのを抑制する抑制回転体と、前記抑制回転体のシート搬送方向の上流側に配置された複数の搬送回転体対と、前記複数の搬送回転体対のうちで前記抑制回転体のシート搬送方向の直上流に位置して第１回転体及び第２回転体から構成される直上流搬送回転体対の、シートの第１面側に位置する前記第２回転体に当接してその外周面に付着した異物を回収する回収手段と、を備えることを特徴とする。
【発明の効果】
【００１１】
本発明によれば、透明部材上に位置しない直上流搬送回転体対の第２回転体から異物を除去することで、除去する際の異物を透明部材上に落下させず、異物を一旦除去した原稿に再度異物が付着して読取位置に搬送されることのないようにすることができる。
【図面の簡単な説明】
【００１２】
【図１】本発明の第１の実施形態に係る画像形成装置を模式的に示す断面図。
【図２】第１の実施形態に係る画像形成装置の制御系を示すブロック図。
【図３】第１の実施形態に係る画像読取装置を示す斜視図。
【図４】図３に示す画像読取装置のＤ−Ｄ線で断面して矢視方向に見た状態で示す断面図。
【図５】第１の実施形態における異物除去部近傍を示す断面図。
【図６】（ａ）は第１の実施形態における原稿案内ユニット等を示す斜視図、（ｂ）は第１の実施形態における搬送ガイド等を拡大して示す断面図、（ｃ）は（ｂ）の回収手段とは異なる回収手段を有する構成を示す断面図。
【図７】（ａ）は本発明の第２の実施形態における原稿案内ユニット等を示す斜視図、（ｂ）は（ａ）の搬送ガイド等を拡大して示す断面図。
【図８】本発明の第３の実施形態における原稿案内ユニット等を示す斜視図、（ｂ）は（ａ）の搬送ガイド等を拡大して示す断面図。
【発明を実施するための形態】
【００１３】
＜第１の実施形態＞
以下、本発明の実施形態に係る画像形成装置について、図面を参照しながら説明する。本実施形態に係る画像形成装置は、複写機や複合機等から構成可能であり、画像読取部に原稿（シート状原稿）を給送可能な原稿給送装置を有する画像読取装置を備えている。
【００１４】
［画像形成装置］
まず、本実施形態に係る画像形成装置１００の概略構成について、図１を参照しながら説明する。図１は、本実施形態に係る画像形成装置１００を模式的に示す断面図である。なお、以下では、ユーザが画像形成装置１００に対して各種入力／設定を行う不図示の操作部に臨む位置を画像形成装置１００の「手前側」といい、背面側を「奥側」という。つまり、図１は、手前側から見た画像形成装置１００の内部構成を示したものである。
【００１５】
図１に示すように、画像形成装置１００は、原稿積載トレイ２２１に積載されたシートとしての原稿Ｇの画像を読み取り可能な画像読取装置２００と、画像読取装置２００で読み取られた画像をシートＳに形成可能な装置本体１０とを備えている。さらに画像形成装置１００は、これら画像読取装置２００及び装置本体１０等を制御する制御部５０を備えている。
【００１６】
そして、画像読取装置２００は、原稿（シート状原稿）Ｇの画像を読み取るスキャナ部２１０と、スキャナ部２１０に原稿Ｇを自動給送可能な自動原稿給送装置（以下、ＡＤＦと表記する）２２０とを備えている。なお、スキャナ部２１０及びＡＤＦ２２０については、後に詳しく説明する。
【００１７】
装置本体１０は、記録媒体であるシートＳに画像を形成する画像形成部２０と、画像形成部２０にシートＳを給送するシート給送部３０とを有している。さらに装置本体１０は、画像が形成されたシートＳを装置本体１０外方（機外）に排出する排出ローラ対４０と、排出されたシートＳが積載されるシート排出トレイ４５とを有している。
【００１８】
画像形成部２０は、トナー像が形成される感光ドラム２２と、感光ドラム２２にレーザ光を照射するレーザスキャナユニット２１と、トナー像をシートＳに転写する転写部２４と、トナー像を定着させる定着部２５とを有している。シート搬送路における転写部２４の上流には、レジストレーションローラ対１１が配置されている。符号１２は反転搬送路を示す。なお、画像形成部２０は、画像読取装置２００によって原稿Ｇから読み取られた画像情報に基づいてシートＳに画像を形成する画像形成手段を構成している。
【００１９】
シート給送部３０は、シートＳが積載される給紙カセット３１と、給紙カセット３１内のシートＳを給送する給送ローラ３２と、シートＳを１枚ずつに分離しながら搬送する搬送ローラ３３ａ及び分離ローラ３３ｂとを有している。
【００２０】
次に、本実施形態における制御系について、図２を参照して説明する。なお、図２は、画像形成装置１００の制御系について示すブロック図である。
【００２１】
図２に示すように、制御手段としての制御部５０には、モータＭ１，Ｍ２，Ｍ３を有するＡＤＦ２２０、モータＭ４を有するスキャナ部２１０、画像形成部２０、シート給送部３０、排出ローラ対４０等が接続されている。制御部５０は、これら各部を制御するＣＰＵ５１と、画像読取プログラムや画像形成プログラム等の各種プログラムや各種情報等を記憶するＲＯＭ及びＲＡＭ等のメモリ５２とを有している。
【００２２】
制御部５０は、第１プラテンローラ２３７が所定の回転速度となるようにモータＭ１を制御する。制御部５０は、第３搬送ローラ対２３６と第４搬送ローラ対２３８（図４参照）とを駆動するようにモータＭ２，Ｍ３をそれぞれ制御する。また、制御部５０は、画像形成部２０、シート給送部３０、排出ローラ対４０をそれぞれに制御する。
【００２３】
次に、制御部５０の制御による画像形成装置１００の画像形成動作（制御部５０による画像形成制御）について説明する。なお、ここでは、ＡＤＦ２２０により自動給送され、スキャナ部２１０で読み取られた原稿Ｇの画像情報に基づき、シートＳに画像を形成する画像形成動作について説明する。また、画像読取装置２００による画像読取動作（制御部５０による画像読取制御）については、後に詳しく説明する。
【００２４】
すなわち、ＡＤＦ２２０により給送され、スキャナ部２１０で読み取られた原稿Ｇの画像情報が入力されると、入力された画像情報に基づいて、レーザスキャナユニット２１から感光ドラム２２にレーザ光が照射される。このとき、感光ドラム２２は、帯電器２７を介して予め帯電されており、レーザ光が照射されることで静電潜像が形成される。そして、この静電潜像が現像器２３によって現像され、感光ドラム２２上にトナー像として形成される。
【００２５】
感光ドラム２２へのトナー像の形成動作に並行して、シート給送部３０の給紙カセット３１に収納されたシートＳが給送ローラ３２により給送される。給送ローラ３２により給送されたシートＳは、搬送ローラ３３ａと分離ローラ３３ｂ間の分離ニップ部で挟持されて１枚ずつに分離されて搬送される。
【００２６】
そして、１枚ずつに分離されたシートＳは、レジストレーションローラ対１１で感光ドラム２２上のトナー像と同期がとられ、転写部２４に送られる。転写部２４に送られたシートＳは、転写部２４で感光ドラム２２上のトナー像が転写される。
【００２７】
トナー像が転写されたシートＳは定着部２５で加熱及び加圧され、トナー像が溶融されてシートＳに定着される。トナー像が定着されたシートＳは、排出ローラ対４０によりシート排出トレイ４５に排出され、順次、積載されていく。なお、シートＳの両面に画像を形成する場合には、シートＳの第１面に画像が定着された後、反転搬送路１２を介してシートＳをレジストレーションローラ対１１に向けて再搬送し、上述した動作を繰り返し行う。
【００２８】
［画像読取装置］
次に、画像読取装置２００の概略構成について、図３〜図５を参照しながら説明する。なお、図３は、本実施形態に係る画像読取装置２００の斜視図であり、図４は、図３に示す画像読取装置２００を図３Ｄ−Ｄ線で断面して矢視方向に見た状態で示す断面図である。図５は、本実施形態に係る異物除去部近傍を示す断面図である。
【００２９】
図３及び図４に示すように、画像読取装置２００は、スキャナ部２１０と、ＡＤＦ２２０とを有している。また、画像読取装置２００は、後述する原稿台ガラス２１３が手前側から開閉可能となるように、奥側に配設された不図示のヒンジにより、ＡＤＦ２２０がスキャナ部２１０に回動可能に支持されている。以下、スキャナ部２１０及びＡＤＦ２２０について、具体的に説明する。
【００３０】
スキャナ部２１０は、原稿（シート）Ｇの第１面の画像を読み取る第１スキャナユニット２１１を有している。さらにスキャナ部２１０は、透明部材としての第１流し読みガラス（プラテンガラス）２１２と、第１流し読みガラス２１２と副走査方向（図４の左右方向）に並んで配置された原稿台ガラス２１３とを有している。
【００３１】
第１スキャナユニット２１１には、例えば等倍光学系の密着型イメージセンサ（以下、ＣＩＳ（Contact  Image  Sensor）と表記する）が用いられている。なお、ＣＩＳは、光源としてＬＥＤアレイから原稿Ｇの画像情報面に光を照射し、画像情報面で反射した反射光をセンサ素子に結像して画像情報を読み取るものである。
【００３２】
第１スキャナユニット２１１は、不図示の駆動ベルトに接続されている。第１スキャナユニット２１１は、スキャナ部２１０に備えたモータＭ４（図２）の駆動で、図４の第１流し読みガラス２１２下方の位置Ａ（即ち画像読取位置９１）と、図４の原稿台ガラス２１３下方の位置Ｂとの間を移動可能に構成される。
【００３３】
また、第１スキャナユニット２１１の位置は、ポジションセンサ（不図示）とモータＭ４の回転パルス数とにより、制御部５０が把握することが可能になっている。なお、第１スキャナユニット２１１は、原稿搬送路（シート搬送路）Ｈを搬送されてくる原稿（シート）Ｇの第１面の画像を、第１流し読みガラス（透明部材）２１２を介して画像読取位置９１で読み取る画像読取手段を構成する。
【００３４】
本実施形態において、第１スキャナユニット２１１を位置Ａに停止させた状態で、ＡＤＦ２２０によって原稿Ｇを第１流し読みガラス２１２上で移動させながら画像を読み取る形態を「流し読み（シートスルー方式）」という。また、原稿台ガラス２１３上に原稿Ｇを載置し、第１スキャナユニット２１１を位置Ｂに向けて図４の矢印Ｔの方向に移動させながら画像を読み取る形態を「固定読み」という。
【００３５】
図３及び図４に示すように、ＡＤＦ２２０は、原稿積載トレイ２２１と、原稿給送部２２２と、原稿排出部２２３とを有している。原稿積載トレイ２２１には、流し読みのための原稿Ｇが積載される。原稿給送部２２２は、流し読みをする際に、原稿搬送路Ｈを介して原稿Ｇを画像読取位置９１に給送する。原稿排出部２２３には、流し読みされた原稿Ｇが排出されて積載される。また、ＡＤＦ２２０は、固定読みをする際に原稿台ガラス２１３に載置された原稿Ｇが移動しないように、不図示の樹脂製プレートによって原稿Ｇを押圧可能に構成されている。
【００３６】
図４に示すように、原稿給送部２２２は、原稿積載トレイ２２１に積載された原稿Ｇを給送する原稿給送ローラ２３１と、原稿Ｇを１枚ずつに分離する分離ローラ対２３２と、分離された原稿Ｇを引き抜く第１搬送ローラ対２３３とを有している。さらに、原稿給送部２２２は、原稿Ｇを搬送する第２搬送ローラ対２３４と、第３搬送ローラ対２３６と、第４搬送ローラ対２３８と、第５搬送ローラ対２４０とを有している。
【００３７】
また、原稿給送部２２２は、レジストレーションローラ対２３５と、第１プラテンローラ２３７と、排出ローラ対２４１とを有している。レジストレーションローラ対２３５は、第２搬送ローラ対２３４と第３搬送ローラ対２３６との間に配置されて原稿Ｇの斜行を矯正（補正）する。第１プラテンローラ２３７は、第１流し読みガラス２１２の対向側に設けられ、搬送原稿の第１面（表面）の画像を読取る際に、搬送原稿を第１流し読みガラス２１２に付勢する。
【００３８】
図４及び図５に示すように、第１プラテンローラ２３７は、第３搬送ローラ対２３６と第４搬送ローラ対２３８との間の第１流し読みガラス２１２に対向してガラス直上に配置されている。第１プラテンローラ２３７は、原稿Ｇの第１面の画像を読み取る際に、第１流し読みガラス２１２に対して所定の間隔を空けて原稿Ｇを搬送する。
【００３９】
第１プラテンローラ２３７は、画像読取位置９１にて第１スキャナユニット２１１と第１流し読みガラス２１２を介して対向するように配置されている。そして第１プラテンローラ２３７は、原稿Ｇを第２面側から押さえて第１流し読みガラス２１２からの浮き上がりを抑制する。つまり、第１プラテンローラ２３７は、第１流し読みガラス２１２を介して第１スキャナユニット２１１と対向するように配置され、原稿を画像読取位置９１と反対の側から押さえて第１流し読みガラス２１２からの浮き上がりを抑制する抑制回転体を構成する。また、排出ローラ対２４１は、第５搬送ローラ対２４０の下流に配置され、画像読取を終えた原稿Ｇを原稿排出部２２３に排出する。
【００４０】
本実施形態では、デュアルスキャン方式ＡＤＦを採用するため、原稿給送部２２２は、原稿搬送路Ｈにおける第１スキャナユニット２１１及び第１流し読みガラス２１２よりも搬送方向下流側に、以下の部材を有している。即ち、原稿Ｇの第２面の画像を読み取る第２スキャナユニット２５１と、第２流し読みガラス（プラテンガラス）２５２と、第２流し読みガラス２５２に対して所定の間隔を空けて原稿Ｇを搬送する第２プラテンローラ２３９とを有している。第２プラテンローラ２３９は、第２流し読みガラス２５２の対向側に設けられ、搬送原稿の第２面（裏面）の画像を読取る際に、搬送原稿を第２流し読みガラス２５２に付勢する。
【００４１】
ここで、第２スキャナユニット２５１には、第１スキャナユニット２１１と同様にＣＩＳが用いられている。第２スキャナユニット２５１は、第１スキャナユニット２１１の原稿搬送方向の下流に設けられた、第２流し読みガラス２５２に対向する第２読取位置にて、原稿搬送路Ｈを搬送される原稿Ｇの第２面の画像を読み取る。
【００４２】
［画像読取動作］
次に、上述の構成を備える画像読取装置２００による画像読取動作（制御部５０による画像読取制御）について、図４及び図５を参照して説明する。
【００４３】
まず、原稿積載トレイ２２１上に任意の枚数が載置された原稿Ｇは、原稿給送ローラ２３１により給送されて、分離ローラ対２３２の分離ニップ部で１枚ずつに分離される。分離された原稿Ｇは、第１搬送ローラ対２３３により引き抜かれた後、第２搬送ローラ対２３４によりレジストレーションローラ対２３５のニップ部まで搬送される。
【００４４】
そして、原稿Ｇがレジストレーションローラ対２３５のニップ部に到達した時点で、レジストレーションローラ対２３５を静止した状態にしておくことで、原稿Ｇの先端をニップ部に当接させて停止させる。この状態で、原稿搬送方向上流側の第２搬送ローラ対２３４により原稿Ｇの後端を所定量押し込ませることで、原稿Ｇを撓ませて湾曲形状を生じさせる。
【００４５】
ここで、原稿Ｇが斜行している場合、主走査方向（原稿搬送方向に直交する幅方向）に対して原稿Ｇの先端は傾いているが、上述の湾曲による原稿Ｄのコシ（剛性）で、原稿先端が、主走査方向に平行なレジストレーションローラ対２３５のニップ線にならう。これにより、原稿先端の傾きが解消される。このようにして、レジストレーションローラ対２３５により原稿Ｇの斜行が補正される。
【００４６】
斜行補正の後、レジストレーションローラ対２３５による原稿Ｇの搬送が開始され、第３搬送ローラ対２３６によって更に下流へと搬送されて、第１流し読みガラス２１２上の画像読取位置に到達する。そして、第１スキャナユニット２１１によって原稿Ｇの第１面の画像読取が所定の速度で行われる。
【００４７】
その後、原稿Ｇは、第４搬送ローラ対２３８により搬送される。その場合、ユーザにより原稿Ｇの第２面も読み取る指示がされていれば、制御部５０の制御で、上述の第１面読み取りの後、第２流し読みガラス２５２上の画像読取位置で、第２スキャナユニット２５１により原稿Ｇの第２面の画像読取が所定の速度で行われる。
【００４８】
さらに、画像読取後の原稿Ｇが、第５搬送ローラ対２４０と排出ローラ対２４１とにより原稿排出部２２３に排出される。そして、原稿積載トレイ２２１上に載置された原稿Ｇがなくなるまで、上述した動作を繰り返す。原稿積載トレイ２２１上に載置された原稿Ｇの有無は、不図示のセンサによって検知可能になっている。
【００４９】
次に、本実施形態における、紙粉等の異物を回収するための原稿案内ユニット１０１等を含む構成について、図５及び図６（ａ），（ｂ）を参照して説明する。なお、図６（ａ）は、本実施形態における原稿案内ユニット１０１等を示す斜視図、図６（ｂ）は、本実施形態における搬送ガイド等を拡大して示す断面図である。
【００５０】
本実施形態は、画像読取装置２００を閉塞位置に位置させた状態で、原稿積載トレイ２２１に原稿Ｇをセットして読取る流し読み方式（シートスルー方式）の画像読取時において発生するスジ状の画像不良を改善する構成を備えている。つまり、搬送原稿の第１面の画像を読取る画像読取位置９１（図４の位置Ａ）の直上流の第３搬送ローラ対２３６を異物除去に用いることで、搬送原稿に付着した紙粉等の異物ｋを効率的に回収することで、画像不良を改善している。
【００５１】
即ち、本実施形態では、図５のように、第１流し読みガラス２１２から原稿搬送方向上流側に離れた位置（第１プラテンローラ２３７の直上流側の位置）に配置されている第３搬送ローラ対２３６を使用して、原稿の第１面から異物を除去する構成を備える。原稿案内ユニット１０１に備えられた第３搬送ローラ対２３６は、駆動ローラ（第１回転体）２３６ａと、これに対向して配置されて駆動ローラ２３６ａに連れ回り回転（従動回転）する異物取り機能を持つ従動ローラ（第２回転体）２３６ｂとを有している。
【００５２】
駆動ローラ２３６ａは、搬送原稿の第２面（裏面）に当接する側（図５の上側）に配置され、従動ローラ２３６ｂは、搬送原稿の第１面（表面）に当接する側（図５の下側）に配置されている。なお、第２搬送ローラ対２３４、レジストレーションローラ対２３５、第３搬送ローラ対２３６は、第１プラテンローラ（抑制回転体）２３７のシート搬送方向の上流側に配置された複数の搬送回転体対を構成している。この第３搬送ローラ対２３６は、これら搬送回転体対のうちで第１プラテンローラ２３７のシート搬送方向の直上流に位置する直上流搬送回転体対を構成する。
【００５３】
従動ローラ２３６ｂは、駆動ローラ２３６ａに当接し且つ搬送されてくる原稿Ｇの第１面側に位置して第１流し読みガラス２１２の読取面の延長線Ｅ（図４、図５）に近接するように設けられている。これにより、従動ローラ２３６ｂを設計上の許容限度一杯に近い可及的に低い位置（第１流し読みガラス２１２と同程度の鉛直方向位置）に配置でき、この位置の従動ローラ２３６ｂから画像読取位置９１に原稿Ｇを導入することができる。そのため、画像読取位置９１に着くまでに原稿Ｇに異物ｋが付くことを最小限に抑えることができる。
【００５４】
原稿案内ユニット１０１は、図５及び図６（ｂ），（ｃ）に示すように、第１搬送ガイド１０９及び第２搬送ガイド１０２を有して、原稿Ｇを第３搬送ローラ対（直上流搬送回転体対）２３６に案内するシート案内手段を構成する。
【００５５】
第１搬送ガイド１０９は、搬送されてくる原稿Ｇの第２面に対向可能で駆動ローラ２３６ａを支持する。即ち、図５に示すように、第１搬送ガイド１０９の下端部近傍には、駆動ローラ２３６ａがその両端部を第１搬送ガイド１０９に支持されて設けられている。第２搬送ガイド１０２は、図６（ａ）に示すように、レジストレーションローラ対２３５（図５参照）から従動ローラ２３６ｂまでのガイド面を形成する。そして、第２搬送ガイド１０２は、原稿Ｇの第１面に対向可能でその下端部近傍から従動ローラ２３６ｂを駆動ローラ２３６ａ側（第１回転体側）に突出させることが可能に構成される。
【００５６】
また、従動ローラ２３６ｂは、第２搬送ガイド１０２の下流側にて、仕様原稿の幅方向の寸法を包含する領域Ｗの略全域に亘るように設けられている。このように従動ローラ２３６ｂは、原稿搬送路Ｈを搬送されてくる原稿Ｇの搬送方向に直交する幅方向（図６（ａ），（ｂ）の手前−奥方向）の全域に対向可能なローラである。このように、従動ローラ２３６ｂが図６（ｂ），（ｃ）における手前−奥方向での原稿の幅方向寸法の略全域に亘って延在している。従って、画像形成装置１００で使用可能なサイズ内の原稿であれば、従動ローラ２３６ｂにより、原稿の第１面全域に付着した異物ｋを除去することが可能である。
【００５７】
また、上記のように従動ローラ２３６ｂは、仕様原稿の幅方向の寸法を包含する領域Ｗの略全域に亘って配置されているので、搬送された原稿Ｇの略全域に付着している異物を効果的に回収することができる。
【００５８】
原稿案内ユニット１０１は、図６（ｂ），（ｃ）に示すように、従動ローラ２３６ｂを駆動ローラ２３６ａに押圧するホルダ部材１０３と、従動ローラ２３６ｂに当接してこのローラ２３６ｂに付着した紙粉等の異物ｋを回収する回収部１０５とを有している。ホルダ部材１０３は、第３搬送ローラ対２３６の軸方向両端部に一対配置されて、それぞれが揺動軸１０３ａを支点として揺動可能に支持されている。そして、各ホルダ部材１０３は、揺動軸１０３ａの両端部に設けられたトーションコイルばね１０４により、駆動ローラ２３６ａを同図の下方から押圧する方向に付勢されている。なお、回収部１０５は、原稿（シート）Ｇの第１面側に位置する従動ローラ（第２回転体）２３６ｂに当接してその外周面２３６ｅに付着した異物ｋを回収する回収手段を構成する。
【００５９】
一対のホルダ部材１０３は、従動ローラ２３６ｂを駆動ローラ２３６ａに当接させる方向（図６（ａ）の反時計回り方向）に付勢する付勢手段を構成する。つまり、一対のホルダ部材１０３はそれぞれ、原稿案内ユニット１０１の両端部にて従動ローラ２３６ｂの回転軸２１５の両端を支持した状態で、従動ローラ２３６ｂを原稿案内ユニット１０１の切欠き部１０２ａから突出させるように付勢する。
【００６０】
このようにホルダ部材１０３で付勢することにより、従動ローラ２３６ｂを、第２搬送ガイド１０２の下端部近傍に位置させた状態で駆動ローラ２３６ａに対し確実に押圧することができる。このため、異物除去用の従動ローラ２３６ｂを画像読取位置９１に可及的に近接させた低い位置から原稿Ｇの後端を放出できるので、原稿後端のハネ（跳ね）によるショックが発生することがなく、読取画像にブレや色ずれ等の画像不良を発生させることがない。さらに、異物除去用の従動ローラ２３６ｂを画像読取位置９１に可及的に近接させることができる。このため、従動ローラ２３６ｂを通過した後の原稿Ｇが画像読取位置９１に到達するまでの間に、搬送ガイド面と原稿Ｇとの摺擦によって新たな紙粉などの異物が発生することを防止できる。
【００６１】
回収部１０５は、図６（ｂ）に示すように、従動ローラ２３６ｂの外周面２３６ｅに接触する接触部材としての掻き取り部材１０７と、掻き取り部材１０７の接触により外周面２３６ｅから剥離される異物ｋを収容する収容部材１０５ａとを有する。この収容部材１０５ａは、従動ローラ２３６ｂの回転軸２１５の軸方向両端に位置する各ホルダ部材１０３の間にて軸方向に延びるように設けられている。収容部材１０５ａは、その底部１０５ｂの少なくとも両端部がＡＤＦ２２０の下部フレーム２２４上に固定されている。
【００６２】
ここで、従動ローラ２３６ｂは、仕様原稿の幅方向の寸法を包含する領域Ｗの略全域に亘って設けられていると述べたが、この構成は、原稿幅方向に一体的に構成された１本のローラ部材であっても良い。また、複数のローラ部材を原稿幅方向に連結して形成したものであっても良い。つまり、従動ローラ２３６ｂは、その軸方向に延びる１本のローラ部材で構成されても、図６（ａ）に示すように軸方向に分割された複数（例えば５個）のローラ部材２３６ｄから構成されても良い。回収部１０５は、従動ローラ２３６ｂが複数のローラ部材２３６ｄから構成される場合に、複数のローラ部材２３６ｄの全域に共通する１つの回収部１０５として構成されても良い。また、回収部１０５は、複数のローラ部材２３６ｄ夫々に個別に対応する同数の回収部１０５として構成されても良い。
【００６３】
接触部材としての掻き取り部材１０７は、従動ローラ２３６ｂの外周面２３６ｅに接触して従動ローラ２３６ｂを帯電させる帯電部材としても構成される。帯電部材としての掻き取り部材１０７は、外周面２３６ｅに摺接して従動ローラ２３６ｂを摩擦帯電させると共に、外周面２３６ｅに静電吸着された異物ｋを掻き取る（除去する）。
【００６４】
掻き取り部材１０７は、図６（ｂ）の手前−奥方向に長く、従動ローラ２３６ｂの軸方向に延設されたゴム材等のプレート状に構成されている。収容部材１０５ａも、従動ローラ２３６ｂの軸方向に延設された掻き取り部材１０７に対応するように同等の長さ寸法に構成されている。これにより、掻き取り部材１０７を従動ローラ２３６ｂの軸方向（主走査方向）全域に当接させて、従動ローラ２３６ｂの外周面２３６ｅに吸着した異物ｋを効率良く回収することができる。
【００６５】
また、収容部材１０５ａは、掻き取り部材１０７により掻き取られた異物ｋを掻き取り部材１０７下方の底部１０５ｂで受けて収容するように構成されている。収容部材１０５ａは、従動ローラ２３６ｂの外周面２３６ｅに吸着された異物ｋを回収し、かつ回収した異物ｋを落下させないような形状、構成のものであれば良い。
【００６６】
また、上記掻き取り部材１０７を、図６（ｃ）に示す拭い取り部材１０８に代えた回収部１０５として構成することも可能である。即ち、図６（ｃ）に示すように、図６（ｂ）で説明した収容部材１０５ａ内に、従動ローラ２３６ｂの外周面２３６ｅに接触する接触部材としての拭い取り部材１０８を配置することもできる。拭い取り部材１０８は、スポンジ状の多孔質弾性体等から構成され、従動ローラ２３６ｂを摩擦帯電させると共にその外周面２３６ｅに静電吸着された異物ｋを拭い取る（除去する）ことができる。
【００６７】
以上の本実施形態によれば、第１流し読みガラス２１２上に位置しない上流側の従動ローラ２３６ｂから異物を除去するように構成し、除去する際の異物を第１流し読みガラス２１２上に落下させないようにすることができる。そして、異物を一旦除去した原稿に再度異物が付着して画像読取位置９１に搬送されることのないようにすることができる。即ち、本実施形態では、第１流し読みガラス２１２上に位置する第１プラテンローラ２３７に付随する従動コロ等からではなく、第１流し読みガラス２１２上に位置しない直上流側の従動ローラ２３６ｂから異物を除去するように構成している。これにより、除去する際の異物ｋを第１流し読みガラス２１２上に落下させず、異物ｋを一旦除去した原稿Ｇに再度異物が付着して画像読取位置９１に搬送されるような不都合を防止することが可能になる。
【００６８】
このように、第１プラテンローラ２３７の直上流に配置された第３搬送ローラ対２３６の下側の低い位置にある従動ローラ２３６ｂを用いて異物を除去できるので、掻き取る際等の異物が第１流し読みガラス２１２上に落下する問題を可及的に回避できる。これにより、従来のように異物を一旦除去された原稿に再度異物が付着して読取位置に搬送されるような不都合を防止することが可能になる。
【００６９】
また、従動ローラ２３６ｂが、原稿Ｇの第１面側に位置して第１流し読みガラス２１２の読取面の延長線Ｅ（図４、図５）に近接する位置から駆動ローラ２３６ａに当接して、原稿Ｇを可及的に低い位置から画像読取位置９１に導入することができる。このため、原稿Ｇの後端が従動ローラ２３６ｂを通過して着地する際にハネ（跳ね）によるショックの発生を防止することが可能になり、画像ブレや色ずれ等の画像不良を防止することが可能になる。さらに、異物除去用の従動ローラ２３６ｂを画像読取位置９１に可及的に近接させることができる。このため、従動ローラ２３６ｂを通過した後の原稿Ｇが画像読取位置９１に到達するまでの間に、搬送ガイド面と原稿Ｇとの摺擦によって新たな紙粉などの異物が発生することを防止できる。
【００７０】
＜第２の実施形態＞
次に、図５及び図７（ａ），（ｂ）を参照しながら、本発明の第２の実施形態について説明する。なお、本実施形態は、ガイド部材１０６を設けた以外は第１の実施形態と同様であり、第１の実施形態と同一の部材には同一符号を付すと共に、構成、機能が同じものについてはその説明を省略する。図７（ａ）は、本実施形態における原稿案内ユニット等を示す斜視図、図７（ｂ）は、本実施形態における搬送ガイド等を拡大して示す断面図である。本実施形態の構成は、前述した第１の実施形態並びに後述する第３の実施形態においても同様に適用することが可能である。
【００７１】
本実施形態では、図７（ａ），（ｂ）のように、従動ローラ２３６ｂと第１流し読みガラス２１２との間にガイド部材（ガイド手段）１０６が配置されている。このガイド部材１０６は、従動ローラ２３６ｂと第１流し読みガラス２１２との段差を補って案内するように傾斜する傾斜面１０６ａを有している。ガイド部材１０６は図５、図７（ｂ）を参照して説明すると、ＡＤＦ２２０の下部フレーム２２４の画像読取位置９１側端部に平坦部１０６ｂを対向させた状態で、上記ガラス２１２の端部に対応するようにスキャナ部２１０の上部フレーム２０９上に配置される。
【００７２】
以上の本実施形態では、従動ローラ２３６ｂとその下流の第１流し読みガラス２１２との間に配置したガイド部材１０６により、搬送原稿の後端が従動ローラ２３６ｂを通過したときのハネ（跳ね）によるショックの抑止効果をより一層高めることができる。このため、第１の実施形態と同様の効果を得ることができると共に、ハネ（跳ね）によるショックの抑止がより一層有効になるという効果も得ることができる。
【００７３】
＜第３の実施形態＞
次に、図８（ａ），（ｂ）を参照しながら、本発明の第３の実施形態について説明する。なお、本実施形態は、揺動ガイド２０３及び従動ローラ２０２を設けた以外は第１の実施形態と同様であり、第１の実施形態と同一の部材には同一符号を付すと共に、構成、機能が同じものについてはその説明を省略する。図８（ａ）は、本実施形態における原稿案内ユニット等を示す斜視図、図８（ｂ）は、図８（ａ）の搬送ガイド等を拡大して示す断面図である。本実施形態の構成は、前述した第１及び第２の実施形態においても同様に適用することが可能である。
【００７４】
本実施形態では、図８（ａ），（ｂ）のように、従動ローラ２３６ｂは、軸方向に分割された複数のローラ部材２０１から構成されている。複数のローラ部材２０１それぞれの間には、従動ローラ２３６ｂの回転軸２１５を揺動中心として配置されて従動ローラ２３６ｂと第１流し読みガラス２１２との段差を補って案内するように傾斜する揺動ガイド（ガイド手段）２０３が配置されている。つまり、ローラ部材２０１は、少なくとも１つ以上のローラ部材２０１を原稿幅方向に所定の間隔をあけて有しており、所定の間隔をあけた各部にそれぞれ揺動ガイド２０３が設けられている。各揺動ガイド２０３は、各ローラ部材２０１に共通の回転軸２１５を支点としてそれぞれ揺動することが可能である。
【００７５】
また、本実施形態の画像読取装置２００は、従動ローラ２３６ｂの原稿搬送方向上流（シート搬送方向上流）に配置され、原稿の第１面側に配置された従動ローラ（従動回転体）２０２を有している。さらに、画像読取装置２００は、従動ローラ２０２に当接して従動ローラ２０２の外周面に付着した異物を回収する回収部（別の回収手段）１１０を有している。そして、従動ローラ２０２は、軸方向に分割された複数のローラ部材２０２ａから構成されている。複数のローラ部材２０２ａは、このローラ数と同じ数だけ形成された切欠き部１０２ｂからそれぞれ突出した状態で、第２搬送ガイド１０２に従動回転可能に軸支されている。
【００７６】
複数のローラ部材２０２ａは、従動ローラ２３６ｂにおける複数のローラ部材２０１に対し原稿搬送方向に直交する幅方向（図８（ａ）の斜め左右方向）にずらして配置されている。この構成により、複数のローラ部材２０２ａは、軸方向での各ローラ部材２０１間の所定の間隔を原稿幅方向でカバーできると共に、仕様原稿の幅方向の寸法を包含することができる。本実施形態における従動ローラ２３６ｂも、仕様原稿の幅方向の寸法を包含する領域の略全域に亘って設けられている。
【００７７】
本実施形態では、図８（ｂ）のように、従動ローラ２３６ｂと第１流し読みガラス２１２との間に、画像読取位置９１側の上部フレーム２０９上の端部に先端部２０３ａを当接させ、第１流し読みガラス２１２の端部に対応させて揺動ガイド２０３が配置される。このような従動ローラ２３６ｂとその下流の第１流し読みガラス２１２との間に配置した揺動ガイド２０３により、搬送原稿の後端が従動ローラ２３６ｂを通過したときのハネ（跳ね）によるショックの抑止効果をより一層高めることができる。このため、第１の実施形態と同様の効果を得ることができると共に、ハネ（跳ね）によるショックの抑止がより一層有効になるという効果も得ることができる。
【００７８】
なお、以上の第１〜第３の実施形態では、電子写真方式の画像形成装置１００を用いて説明したが、これに代えて、例えば、ノズルからインク液を吐出させることでシートに画像を形成するインクジェット方式の画像形成装置に用いることも可能である。
【符号の説明】
【００７９】
２０…画像形成部（画像形成手段）／９１…画像読取位置／１００…画像形成装置／１０１…原稿案内ユニット（シート案内手段）／１０２…第２搬送ガイド／１０３…ホルダ部材（付勢手段）／１０５…回収部（回収手段）／１０５ａ…収容部材／１０６…ガイド部材（ガイド手段）／１０７…掻き取り部材（接触部材）／１０８…拭い取り部材（接触部材）／１０９…第１搬送ガイド／１１０…回収部（別の回収手段）／２００…画像読取装置／２０１…ローラ部材／２０２…従動ローラ（従動回転体）／２０２ａ…ローラ部材／２０３…揺動ガイド（ガイド手段）／２１１…第１スキャナユニット（画像読取手段）／２１２…第１流し読みガラス（透明部材）／２１５…従動ローラの回転軸／２３６…第３搬送ローラ対（直上流搬送回転体対）／２３６ａ…駆動ローラ（第１回転体）／２３６ｂ…従動ローラ（第２回転体）／２３６ｅ…従動ローラの外周面／２３７…第１プラテンローラ（抑制回転体）／Ｇ…原稿（シート）／Ｈ…原稿搬送路（シート搬送路）／ｋ…異物／Ｓ…シート
【図１】
2016100853.tif 000003
【図２】
2016100853.tif 000004
【図３】
2016100853.tif 000005
【図４】
2016100853.tif 000006
【図５】
2016100853.tif 000007
【図６】
2016100853.tif 000008
【図７】
2016100853.tif 000009
【図８】
2016100853.tif 000010